(57)【特許請求の範囲】
【請求項１】
スリーブ上面板とスリーブ側面板とスリーブ底面板とから角筒状に形成されたスリーブに、容器本体構成板を組み起こし底部の周囲に側壁部を有して上方が開放されている容器本体がスライド可能に収納されている紙容器において、
スリーブに容器本体を収納して容器本体の開放上面がスリーブ上面板で覆われている紙容器形態を陳列時形態とし、この陳列時形態での前記容器本体構成板における外方に対して非表出である目視不能な位置に、秘匿情報が設けられていて、
容器本体のスライド収納方向に沿う側面板の内面が前記目視不能な位置とされていて、この側面板の前記内面に前記秘匿情報を設けてなる情報隠蔽部が、該側面板から舌片状に切り開き可能に設けられ、前記秘匿情報は、二次元コードなどの機械読取情報と文字列情報とからなるものであることを特徴とする紙容器。
【請求項２】
上記秘匿情報の機械読取情報と文字列情報とは、箱本体個々に異なるユニーク値を共に含んでいる請求項１に記載の紙容器。
【発明の詳細な説明】
【技術分野】
【０００１】
本発明は菓子類などを収容し、コンビニエンスストアやスーパーマーケットなどの小売り店舗で陳列販売される紙容器に関するものである。
【背景技術】
【０００２】
従来から菓子、特に個包装されたチョコレート菓子を複数収容した容器としては、平板状のスリーブに上方を開放したトレイ状の容器本体をスライド可能に収納した紙容器が多く流通していて、スーパーマーケットやコンビニエンスストアなどでの小売り店舗においてこの紙容器を透明な包装フィルムで包んだ商品としで陳列販売されている。
そして、このような商品においても販売促進などを目的として懸賞を伴なう各種のキャンペーンが企画される場合があり、商品購入者がキャンペーンへの申し込みを行なう上での情報を商品に設けたり、申し込み資格を獲得するための当たり外れのあるクジの仕組みをその商品に設けることが行なわれていた。
このキャンペーン申し込み情報やクジを有するようにした商品にあっては、この商品自体が小売り店舗で陳列され、店舗側の顧客が手軽に商品を取り扱えることから、申し込み情報やクジが、商品購入者ではない顧客には見ることができないようにする必要があり、例えば特許文献１に示されているように、収納物の包装フィルムの内面に申し込み情報やクジなどの表示を行なうようにして、陳列時形態のままではその表示を目視できないようにした工夫が提案されていた。
【０００３】
一方、携帯電話のカメラ撮影で獲得した情報に基づいてその携帯電話からインターネント上のサイトに接続し、そのサイトで掲載されている各種の情報を入手したり、サイトでのゲームに参加できるようにしたサービスが提供されるようになってきている。
そして、携帯電話のカメラを用いた情報の取得や携帯電話によるインターネット上のサイトへの接続も手数を要せずに行なえることから、上述した商品に係るキャンペーンの申し込み情報やクジ情報などを携帯電話を用いても取得できる表示にしてその商品に設けることが試みられるようになってきた。
【特許文献１】実開昭６１−０９７１６２号公報
【発明の開示】
【発明が解決しようとする課題】
【０００４】
上述した携帯電話のカメラを用いて情報を獲得する場合に適する表示としてＱＲコード（登録商標、以下同じ）に代表される二次元コードなどの機械読取情報がある。この機械読取情報を上記商品の外表面に目視できる位置に設けた際、小売り店舗での購入者以外の顧客が不正に情報を入手し易いかどうかの検討が行なわれているが、店員が存在することと、携帯電話を取り出して商品をカメラ撮影する動作を行なう必要があるため、携帯電話を用いた情報の不正取得は起き難いと考えられている。そのため、現状の商品ではその商品の外表面で目視容易な位置に機械読取情報を記載することが行なわれている。
【０００５】
そして、上記機械読取情報を、携帯電話の機能でインターネット上のサイトに接続できるようにＵＲＬなどのアクセス情報と、サイトに接続してからそのサイトでのサービスを受けることができるか否かなどのクジ情報のような役割を果たすエントリー情報との組み合せとしていて、この両者の情報を一つの機械読取情報にしていることが多い。
このように二次元コード（例えばＱＲコード）には、ＵＲＬの他にユニーク（唯一無二）な番号（エントリー情報）が変換されている場合がある。つまり、ＱＲコードを読み取るとＵＲＬによりサイトにアクセスし、次いで、ユニークな番号によりキャンペーンの当否が判るようにすることがある。よって、ＱＲコードだけで対応でき、文字列情報などを必要としない場合がある。
【０００６】
また、一方、インターネット上の上記サイトでのサービスを受けることができるかどうか遊技性をもった顧客サービスを、携帯電話を使用しない購入者がパソコンを利用したインターネット接続をして受けることができるようにしたいとの要望もでてきている。そのため、アクセス情報である固定値のＵＲＬと、商品個々に異なるユニーク値で構成されたエントリー情報の文字列情報とを、機械読取情報に並べて記載することが検討された。
【０００７】
しかしながら、エントリー情報を文字列情報として表現した場合、小売り店舗において商品購入者以外の顧客が黙読して記憶し、不正に取得したエントリー情報を利用してパソコンなどによりサイトのサービスを受ける可能性がある。また、上記機械読取情報と、ＵＲＬや文字列情報とを共に商品の外表面に設けると、商品の情報表示スペースが制限されたり、商品外観を損なうという問題も発生してきた。
そこで本発明は上記事情に鑑み、菓子類などの収納物を収容した紙容器に設ける機械読取情報と文字列情報との情報を、その陳列時形態の時点では外部から見えないようにした秘匿情報とし、商品の正規の購入者がその秘匿情報を確認する場合には、機械読取情報と文字列情報との何れも簡単に選択できるようにすることを課題とし、秘匿情報の提供に適した紙容器を得ることを目的とするものである。
【課題を解決するための手段】
【０００８】
（請求項１の発明）
本発明は上記課題を考慮してなされたもので、スリーブ上面板とスリーブ側面板とスリーブ底面板とから角筒状に形成されたスリーブに、容器本体構成板を組み起こし底部の周囲に側壁部を有して上方が開放されている容器本体がスライド可能に収納されている紙容器において、スリーブに容器本体を収納して容器本体の開放上面がスリーブ上面板で覆われている紙容器形態を陳列時形態とし、この陳列時形態での前記容器本体構成板における外方に対して非表出である目視不能な位置に、秘匿情報が設けられていて、容器本体のスライド収納方向に沿う側面板の内面が前記目視不能な位置とされていて、この側面板の前記内面に前記秘匿情報を設けてなる情報隠蔽部が、該側面板から舌片状に切り開き可能に設けられ、前記秘匿情報は、二次元コードなどの機械読取情報と文字列情報とからなるものであることを特徴とする紙容器を提供して、上記課題を解消するものである。
【０００９】
（削除）
【００１０】
（削除）
【００１１】
（削除）
【００１２】
（削除）
【００１３】
（請求項２の発明）
また、本発明において、上記秘匿情報の機械読取情報と文字列情報とは、箱本体個々に異なるユニーク値を共に含んでいるものとすることが良好である。
【発明の効果】
【００１４】
（請求項１の発明の効果）
請求項１の発明によれば、紙容器が陳列時形態であれば秘匿情報が目視できず、文字列情報を商品購入者ではない者が取得することを防止できる。また、陳列時形態で表示すべき商品情報を設けるスペースが狭められることがないとともに、違和感を生じ易い機械的な機械読取情報や文字列情報などの秘匿情報が顧客の目には止まることがなく、よって商品の外観を損なうことがない。また、秘匿情報を設けた情報隠蔽部を舌片状に切り開くことができるので、秘匿情報を容器本体の形状に影響されることなく見易い状態にすることが容易である。
【００１５】
（削除）
【００１６】
（削除）
【００１７】
（削除）
【００１８】
（削除）
【００１９】
（請求項２の発明の効果）
請求項２の発明により、秘匿情報の送信者側からのその秘匿情報の利用回数を秘匿情報の受信者側で把握するシステムを組むことができ、不正アクセスの防止に効果がある。
【発明を実施するための最良の形態】
【００２０】
つぎに本発明を図１から図７に示す実施の例に基づいて詳細に説明する。
図中１は紙容器で、該紙容器１は略平板状とされたスリーブ２と、このスリーブ２の端部開口に挿し入れてスライド可能に収納されるトレイ状の容器本体３とからなるものである。
（第一の例）
（スリーブ）
前記スリーブ２は図２の展開したブランクで示すようにスリーブ構成板であるスリーブ上面板４とスリーブ側面板５とスリーブ底面板６と糊代ａが折り罫を介して連接され、前記糊代ａを組み起こしで相対するスリーブ側面板５に貼着する胴貼りをして角筒状にしている。
（容器本体）
また、容器本体３は本体底部の四方に側壁が起きて上方が開放された形状となるように複数の容器本体構成板を折り罫を介して連接したブランクを組み起こしたものであり、図３の展開したブランクで示すごとく、底面板７のスライド方向に沿った辺側（図上長辺側）に側面板８が連接されてその側面板８の端辺にフラップ９を連接している。さらに底面板７のスライド方向に相対する辺側（図上短辺側）に側面板１０が連接されているとともに、その側面板１０それぞれの上辺（容器高さ方向での上辺）に折り罫を介して内折り板１１が連接されており、ブランクの折り起こしに際して前記側面板１０の容器内方側に側面板８のフラップ９を折り入れ、さらに前記内折り板１１を容器内方側であって側面板１０の基端から底面板中央側に寄った位置に接するように折り倒して傾斜させ、図４に示すごとく底面板７に沿うように折り返した下辺部１２を底面板７の切り込みｂに係止させて止めている。
なお、容器本体３において上記フラップ９それぞれは側面板１０の内面側に折り重なっているものであるが、図４、図５、図７、図９、図１１においては理解を容易にするためにこのフラップ９を図示していない。
【００２１】
（陳列時形態）
容器本体３の上記側面板８はスリーブ２に容器本体３をスライド収納するとスリーブ側面板５と重なる部分であり、スリーブ２に容器本体３を収納しその容器本体３の上方開放部分がスリーブ上面板４で覆われて、容器全体で平板状となる形態、即ち、陳列時形態では外部から容器本体３の側面板８が直接目視できないようになる。
また、容器本体３の上記側面板１０はスリーブ２に容器本体を収納した陳列時形態ではスリーブ２の端部開口に位置し、その側面板１０の外面のみが外部から目視できるようになる。
このように容器本体３がスリーブ２に収納された陳列時形態では、側面板１０の外面のみが外部から目視できる位置であり、その他の面板の表裏両面が外方に対して非表出である目視不能な位置となっている。上述したように内折り板１１も容器内方に折り倒されて側面板１０と相対していることから、その側面板１０の内折り板１１側の面と内折り板１１の側面板１０側の面とである対向面１３それぞれも陳列時形態において目視不能な位置にある。
【００２２】
（長辺側面板の情報隠蔽部）
図３の展開のブランクと図５とに示すように、容器本体３の長辺方向に沿った一方の側面板８には、一方の側面板１０側の上辺位置から円弧状に湾曲して底面板７との間の折り罫に沿い、その折り罫の略中央位置まで達する切り取り線１４と、側面板８の略中央で縦にして入れられて前記切り取り線１４に連続する縦折り罫１５とで区画された舌片状の情報隠蔽部１６が設けられており、前記切り取り線１４の切断による切り開きで、情報隠蔽部１６が、縦折り罫１５を中心として容器本体３の側方に向けて回動できるようにしている。
上記情報隠蔽部１６自体はこの紙容器１の陳列時形態において上述したようにスリーブ２の内部にあり、情報隠蔽部１６の内面と外面は目視不能な位置にある。そして、前記側面板８の内面である情報隠蔽部１６の内面を情報記載面１７としていて、この情報記載面１７に秘匿情報１８が設けられている。前記秘匿情報１８は二次元コードなどの機械読取情報１９と文字列情報２０とを並べたものである。
【００２３】
陳列時形態となっている紙容器１において、上記情報隠蔽部１６に記載されている秘匿情報１８を確認する場合には、スリーブ２から容器本体３を引き出す。そして、側面板８から情報隠蔽部１６を切り開くようにする。情報隠蔽部１６を側方に開くので、秘匿情報１８が確認し易い。
【００２４】
上記情報隠蔽部１６は側面板８から側方に向けて横開きするように切り開かれるものに限定されない。その他の例を以下に示した。
（第二の例）
（情報隠蔽部）
図６と図７とは第二の例を示すもので、上記情報隠蔽部１６が側面板８から下方に向けて切り開くことができるようにしている点で上記の例を相違している。図示されているように容器本体３における一方の側面板８には、底面板短辺に連続する一方の側面板１０側に寄った位置とこの一方の側面板８の略中央位置とに縦の切り取り線１４を入れて、この切り取り線１４と底面板７側の折り罫とで区画された情報隠蔽部１６が設けられている。
そして、スリーブ２から容器本体３を引き出した後に上記切り取り線１４を切断して情報隠蔽部１６が下方に向けて倒れるようにして舌片状に切り開くことができ、容器内方に向く内面を情報記載面１７として、この情報記載面１７に上記例と同じように機械読取り情報１９と文字列情報２０とを並べ設けた秘匿情報１８が記載されている。
よって、スリーブ２から容器本体３を引き出した状態で情報隠蔽部１６の容器内方に向いている情報記載面１７に記載された秘匿情報１８を確認することができるとともに、切り取り線１４を切断して情報隠蔽部１６を下方に向くように切り開くことで前記情報記載面１７が上方などに向くこととなり、秘匿情報１８がより確認し易くなる。
【００２５】
（削除）
【００２６】
（削除）
【００２７】
（削除）
【００２８】
（削除）
【００２９】
（削除）
【００３０】
（削除）
【図面の簡単な説明】
【００３１】
【図１】本発明に係る紙容器の第一の例を示す説明図である。
【図２】第一の例におけるスリーブを展開したブランクで示す説明図である。
【図３】第一の例における容器本体を展開したブランクで示す説明図である。
【図４】第一の例における容器本体を示す説明図である。
【図５】第一の例において情報隠蔽部を切り開いた状態を示す説明図である。
【図６】第二の例における容器本体を展開したブランクで示す説明図である。
【図７】第二の例において情報隠蔽部を切り開いた状態を示す説明図である。
【符号の説明】
【００３２】
１…紙容器
２…スリーブ
３…容器本体
７…底面板
８…側面板
１０…側面板
１１…内折り板
１３…対向面
１４…切り取り線
１５…縦折り罫
１６…情報隠蔽部
１７…情報記載面
１８…秘匿情報
１９…機械読取情報
２０…文字列情報
【図１】
0005167793.tif 000002
【図２】
0005167793.tif 000003
【図３】
0005167793.tif 000004
【図４】
0005167793.tif 000005
【図５】
0005167793.tif 000006
【図６】
0005167793.tif 000007
【図７】
0005167793.tif 000008